(57)【特許請求の範囲】
【請求項１】
基板部と２つの枠部とで構成され、両主面に凹部空間が形成され、一方の前記凹部空間の底面に複数の集積回路素子搭載パッドと２つ一対の測定用端子が設けられ、他方の前記凹部空間の底面に２つ一対の圧電振動素子搭載パッドが設けられている素子搭載部材と、
前記圧電振動素子搭載パッドに搭載されている圧電振動素子と、
前記圧電振動素子を気密封止する蓋部材と、
を備え、
複数の前記集積回路素子搭載パッドは、一方の前記凹部空間の底面の中央部に設けられており、
前記２つ一対の圧電振動素子搭載パッドと所定の２つの前記集積回路素子搭載パッドとが電気的に接続され、
前記２つ一対の測定用端子が前記２つ一対の圧電振動素子搭載パッド、または／及び、前記所定の２つの集積回路素子搭載パッドに電気的に接続され、
前記測定用端子が、前記集積回路素子搭載パッドに搭載される集積回路素子の主面と対向しないように、複数の前記集積回路素子搭載パッドが設けられている一方の前記凹部空間の底面の中央部の両側にそれぞれ１つずつ設けられており、
一方の前記凹部空間を形成する前記枠部に於いて、前記一方の凹部空間側の所定の一辺と前記所定の一辺に平行でかつ前記所定の一辺に近い外縁側の所定の他の一辺との距離を枠部の幅としたとき、
前記測定用端子の幅が前記枠部の幅より広く形成されて構成される
ことを特徴とする圧電発振器。
【発明の詳細な説明】
【技術分野】
【０００１】
本発明は、電子機器に用いられる圧電発振器に関する。
【背景技術】
【０００２】
電子機器に用いられる圧電発振器は、例えば、水晶発振器がある。
圧電発振器の一例である水晶発振器は、例えば、素子搭載部材と圧電振動素子と蓋部材と集積回路素子とから主に構成されている。
【０００３】
素子搭載部材は、例えば、セラミックス等の絶縁材料が用いられている。
また、素子搭載部材は、例えば、基板部と２つの枠部とで構成され、両主面にそれぞれ一つずつ凹部空間が形成されている。
また、素子搭載部材は、一方の凹部空間の底面、つまり、基板部の一方の主面に集積回路素子搭載パッドと測定用端子とが設けられている。
また、素子搭載部材は、一方の凹部空間が形成されている主面、つまり、一方の凹部空間を形成する一方の枠部と基板部とが接する面と対向する一方の枠部の面に外部接続端子が設けられている。
また、素子搭載部材は、他方の凹部空間の底面、つまり、基板部の他方の主面に２つ一対の圧電振動素子搭載パッドが設けられている。
また、素子搭載部材は、集積回路素子搭載パッドと圧電振動素子搭載パッド、または、外部接続端子、または、測定用端子とを電気的に接続するために、内部配線が設けられている。
【０００４】
基板部は、例えば、矩形形状の平板状に設けられている。
また、基板部は、一方の主面に集積回路素子用搭載パッドと測定用端子とが設けられている。
また、基板部は、他方の主面に圧電振動素子搭載パッドが設けられている。
【０００５】
枠部は、例えば、２つ設けられており、枠形状の平板状に設けられている。また、枠部は、それぞれ基板部の両主面に設けられて凹部空間を形成している。
ここで、一方の枠部は、基板部の一方の主面に設けられ、一方の凹部空間を形成している。また、他方の枠部は、基板部の他方の主面に設けられ、他方の凹部空間を形成している。
【０００６】
集積回路素子搭載パッドは、例えば、１０個設けられている。
また、集積回路素子搭載パッドは、例えば、一方の凹部空間の底面の一方の長辺側に沿って５つ設けられ、他方の長辺側に沿って５つ設けられている。つまり、集積回路素子搭載パッドは、２行×５列の行列状に一方の凹部空間の底面に設けられている。
また、集積回路素子搭載パッドは、後述する集積回路素子に設けられている集積回路素子接続端子と対向する位置に設けられ、例えば、半田等の導電材料によって集積回路素子接続端子と電気的に接続されている。
所定の２つの集積回路素子搭載パッドは、後述する圧電振動素子搭載パッドと内部配線を介して電気的に接続されている。また、所定の２つの集積回路素子搭載パッドは、後述する測定用端子と内部配線を介して電気的に接続されている。
所定の他の４つの集積回路素子搭載パッドは、後述する外部接続端子と内部配線を介して電気的に接続されている。
【０００７】
ここで、素子搭載部材の一方の主面は、一方の凹部空間が形成されている主面とする。
外部接続端子は、一方の凹部空間が形成されている主面、つまり、一方の凹部空間を形成する一方の枠部と基板部が接する面と対向する一方の枠部の面に設けられている。言い換えると、外部接続端子は、素子搭載部材の一方の主面に設けられている。
外部接続端子は、例えば、４つ設けられ、素子搭載部材の一方の主面の４隅に一つずつ設けられている。
また、外部接続端子は、所定の他の４つの集積回路素子搭載パッドと素子搭載部材の内部配線を介して電気的に接続されている。
【０００８】
測定用端子は、例えば、２つ一対で設けられている。
また、一方の凹部空間の開口部側、つまり、素子搭載部材の一方の主面側から見た場合、測定用端子は、その一部が集積回路素子の主面に隠れておらず露出された状態となっている。従って、一方の凹部空間の開口部側から見た場合、測定用端子は、基板部の一方の主面に設けられている枠部と集積回路素子の間が露出された状態となっている。
また、測定用端子は、所定の２つの集積回路素子搭載パッドと後述する圧電振動素子搭載パッドと電気的に接続されている。従って、測定用プローブを測定用端子に接触させることで後述する圧電振動素子搭載パッド搭載される圧電振動素子の電気的特性、例えば、直列共振抵抗値や振動周波数の安定度等を測定することができる。
【０００９】
圧電振動素子搭載パッドは、例えば、２つ一対で設けられており、基板部の他方の主面、つまり、他方の凹部空間の底面の一方の短辺側に沿って２つ並んで設けられている。
ここで、素子搭載部材の他方の主面は、他方の凹部空間が形成されている主面とする。
従って、圧電振動素子搭載パッドは、素子搭載部材の他方の主面に設けられている他方の凹部空間の底面に設けられている。
また、圧電振動素子搭載パッドは、所定の２つの集積回路素子搭載パッドと素子搭載部材の内部配線を介して電気的に接続されている。
また、圧電振動素子搭載パッドは、素子搭載部材の内部配線を介して測定用端子と電気的に接続されている。
また、圧電振動素子搭載パッドは、後述する圧電振動素子の引き回し電極と対向する位置に設けられ、例えば、導電性接着剤によって圧電振動素子の引き回し電極と電気的に接続されている。
【００１０】
素子搭載部材は、一方の主面に一方の凹部空間が形成されており、この一方の凹部空間の底面に集積回路素子用搭載パッドと測定用端子とが設けられている。
また、素子搭載部材は、一方の主面の４隅に外部接続端子が設けられている。
また、素子搭載部材は、他方の主面に他方の凹部空間が形成されており、この他方の凹部空間の底面に圧電振動素子用搭載パッドが設けられている。
また、素子搭載部材は、２つ一対の圧電振動素子用搭載パッドが所定の２つ集積回路素子用搭載パッド及び２つ一対の測定用端子と素子搭載部材の内部配線を介して電気的に接続されている。
【００１１】
集積回路素子は、例えば、発振回路の機能を備えたＩＣ回路素子である。
また、集積回路素子は、例えば、一方の主面に複数の集積回路素子接続端子が設けられている。
集積回路素子接続端子は、例えば、１０個、設けられており、集積回路素子の両長辺に沿って５個ずつ並んで設けられている。つまり、集積回路接続端子は、一方の長辺に沿って５個並んで設けられ、他方の長辺に沿って５個並んで設けられている。言い換えると、集積回路素子接続端子は、２行×５列の行列状に設けられている。
また、集積回路素子接続端子は、集積回路素子搭載パッドと対向する位置に設けられ、例えば、半田等の導電材料によって集積回路素子搭載パッドと電気的に接続されている。
つまり、集積回路素子は、集積回路素子接続端子と集積回路素子搭載パッドとが電気的に接続されることで、素子搭載部材の一方の凹部空間内に搭載されている。
【００１２】
圧電振動素子は、例えば、圧電片と励振電極と引き回し電極とからなっている。
圧電片は、例えば、水晶が用いられ、矩形形状の平板状に設けられている。
励振電極は、２つ一対となっている。一方の励振電極は、圧電片の一方の主面に設けられている。他方の励振電極は、圧電片の他方の主面であって一方の励振電極と対向する位置に設けられている。
引き回し電極は、２つ一対となっている。一方の引き回し電極は、一方の端部が一方の励振電極に接続されており、他方の端部が圧電片の他方の主面であって一方の短辺の縁部に位置している。また、他方の引き回し電極は、一方の端部が他方の励振電極に接続されており、他方の端部が圧電片の一方の主面であって一方の端部の縁部に位置している。
また、引き回し電極は、素子搭載部材に設けられている圧電振動素子搭載パッドと対向する位置に設けられており、例えば、導電接着剤等により圧電振動素子搭載パッドと電気的に接続されている。
つまり、圧電振動素子は、引き回し電極と素子搭載部材の圧電振動素子用搭載パッドとが電気的に接続されることで、素子搭載部材の他方の凹部空間の底面に搭載されている。
【００１３】
蓋部材は、例えば、金属が用いられ、矩形形状の平板状に設けられている。
また、蓋部材は、素子搭載部材の主面と同じ大きさとなっている。
また、蓋部材は、他方の凹部空間が形成されている素子搭載部材の他方の主面と接合されて他方の凹部空間を気密封止している。つまり、蓋部材は、素子搭載部材と接合されて、他方の凹部空間の底面に搭載されている圧電振動素子を気密封止している。
【００１４】
圧電発振器は、素子搭載部材の一方の主面に形成されている凹部空間の底面に集積回路素子が搭載されている。
また、圧電発振器は、素子搭載部材の他方の主面に形成されている凹部空間の底面に圧電振動素子が搭載されて蓋部材で気密封止されている。
また、素子搭載部材の一方の主面側から見た場合、圧電発振器は、枠部の内側、つまり、一方の凹部空間内に集積回路素子が搭載されており、測定用端子の一部が集積回路素子の主面に隠れておらず露出されている。
このような圧電発振器は、露出している測定用端子の一部に測定用プローブ等を接触させることで、集積回路素子を搭載した後であっても、例えば、直列共振抵抗値や振動周波数の安定度等の電気的特性を測定することができる構造となっている（例えば、特許文献１参照）。
【００１５】
また、集積回路素子を素子搭載部材に搭載した場合、測定端子が集積回路素子に隠されず全てが露出された構造となっている圧電発振器がある。
この圧電発振器は、一方の主面側の枠部の構造と測定用端子が設けられている位置とが上述している圧電発振器と異なる。
【００１６】
素子搭載部材は、基板部と２つの枠部とからなっている。
枠部は、基板部の両主面にそれぞれ一つずつ設けられている。
一方の枠部は、基板部の一方の主面の縁部に沿って設けられ一方の凹部空間を形成している。また、この一方の枠部は、両短辺に沿った一部が欠如した構造となっている。言い換えると、この一方の枠部は、２つの壁部となっており、それぞれがそれぞれの長辺に沿って設けられた状態となっている。
他方の枠部は、一方の枠部と同様に、基板部の他方の主面の縁部に沿って設けられて他方の凹部空間を形成している。
２つ一対の測定用端子は、この一方の主面側に設けられた枠部の欠如した位置であって、基板部の一方の主面の短辺に沿って一つずつ設けられている。また、２つ一対の測定用端子は、所定の２つの集積回路素子搭載パッドと電気的に接続されているので、２つ一対の圧電振動素子用搭載パッドと電気的に接続されている。
従って、測定用端子は、測定用端子の幅が枠部の幅と同等となっている。
ここで、測定用端子の幅は、素子搭載部材の長辺と平行な向きの測定用端子の幅である。
また、枠部の幅は、一方の凹部空間の開口部から見た場合に、一方の凹部空間の開口部を形成する枠部に於いて、凹部空間側の所定の一辺とこの所定の一辺に平行でかつこの所定の一辺に近い外縁側の所定の他の一辺との距離とする。
【００１７】
従って、圧電発振器は、素子搭載部材の一方の主面に形成されている凹部空間の底面に集積回路素子が搭載されている。
また、圧電発振器は、素子搭載部材の他方の主面に形成されている凹部空間の底面に圧電振動素子が搭載されて蓋部材で気密封止されている。
また、素子搭載部材の一方の主面側から見た場合、圧電発振器は、枠部の内側、つまり、一方の凹部空間内に集積回路素子が搭載されており、測定用端子が一方の枠部の欠如した部分に設けられ露出されている。つまり、測定用端子は、素子搭載部材の一方の凹部空間側の所定の一辺と、この所定の一辺に平行で素子搭載部材の外縁側の所定の他の一辺と、の間に設けられている。
このような圧電発振器は、一方の枠部の欠如した部分に設けられており露出されている測定用端子に測定用プローブ等を接触させることで、集積回路素子を搭載した後であっても、例えば、直列共振抵抗値や振動周波数の安定度等の電気的特性を測定することができる構造となっている（例えば、特許文献２参照）。
【先行技術文献】
【特許文献】
【００１８】
【特許文献１】特開２００３−１６３５４０号公報
【特許文献２】特開２０１０−４１９０２号公報
【発明の概要】
【発明が解決しようとする課題】
【００１９】
しかしながら、従来の圧電発振器は、測定用端子が基板部の一方の主面に設けられている一方の枠部と集積回路素子との間の部分だけ露出された状態となっている。従って、小型化された場合、従来の圧電発振器は、測定用端子の露出した面積が小さく、集積回路素子と一方の枠部との間隔が狭くなっている恐れがある。
このため、圧電振動素子の電気的特性を測定する場合、従来の圧電発振器は、集積回路素子と一方の枠部との間に測定用プローブが入らないために測定用プローブを露出されている測定用端子の一部と接触させることができず、搭載されている集積回路素子を剥がし測定しなければならない恐れがある。
つまり、このような圧電発振器は、測定用端子に測定用プローブを接触させることができず測定用端子が機能せず、搭載されている集積回路素子を剥がさなければ、圧電振動素子の電気的特性を測定できない恐れがある。
【００２０】
また、従来の圧電発振器は、測定用端子が基板部の一方の主面に設けられている一方の枠部の一部の欠如している部分に設けられている。つまり、従来の圧電発振器は、測定用端子が一方の枠部の幅に設けられている。従って、小型化された場合、従来の圧電発振器は、一方の枠部の幅が狭くなり測定用端子の面積が小さくなっている恐れがある。
このため、圧電振動素子の電気的特性を測定する場合、従来の圧電発振器は、面積の小さい測定用端子に測定用プローブを接触させなければならず、測定の際に手間と時間を要する恐れがある。
つまり、このような圧電発振器は、測定用端子を用いても、圧電振動素子の電気的特性を測定するのに手間と時間を要するので生産性が悪化する恐れがある。
【００２１】
そこで、本発明では、集積回路素子が搭載された後に圧電振動素子の電気的特性を容易に測定することができる圧電発振器を提供することを課題とする。
【課題を解決するための手段】
【００２２】
前記課題を解決するため、基板部と２つの枠部とで構成され、両主面に凹部空間が形成され、一方の前記凹部空間の底面に複数の集積回路素子搭載パッドと２つ一対の測定用端子が設けられ、他方の前記凹部空間の底面に２つ一対の圧電振動素子搭載パッドが設けられている素子搭載部材と、前記圧電振動素子搭載パッドに搭載されている圧電振動素子と、前記圧電振動素子を気密封止する蓋部材と、を備え、複数の前記集積回路素子搭載パッドは、一方の前記凹部空間の底面の中央部に設けられており、前記２つ一対の圧電振動素子搭載パッドと所定の２つの前記集積回路素子搭載パッドとが電気的に接続され、前記２つ一対の測定用端子が前記２つ一対の圧電振動素子搭載パッド、または／及び、前記所定の２つの集積回路素子搭載パッドに電気的に接続され、前記測定用端子が、前記集積回路素子搭載パッドに搭載される集積回路素子の主面と対向しないように、複数の前記集積回路素子搭載パッドが設けられている一方の前記凹部空間の底面の中央部の両側にそれぞれ１つずつ設けられており、一方の前記凹部空間を形成する前記枠部に於いて、前記一方の凹部空間側の所定の一辺と前記所定の一辺に平行でかつ前記所定の一辺に近い外縁側の所定の他の一辺との距離を枠部の幅としたとき、前記測定用端子の幅が前記枠部の幅より広く形成されて構成されることを特徴とする。
【発明の効果】
【００２３】
このような圧電発振器は、基板部と基板部の両主面の縁部に沿って設けられている枠部とで構成され凹部空間が形成されている素子搭載部材と、素子搭載部材に搭載される圧電振動素子と、搭載されている圧電振動素子を気密封止する蓋部材と、を備えている。また、このような圧電発振器は、前記測定用端子が前記集積回路素子の主面と対向しない位置に設けられている。また、このような圧電発振器は、一方の凹部空間を形成する一方の枠部に於いて、一方の凹部空間側の所定の一辺とこの所定の一辺に平行でかつこの所定の一辺に近い外縁側の所定の他の一辺との距離を枠部の幅としたとき、測定用端子の幅が枠部の幅より広くなっている。
つまり、集積回路素子が搭載されている主面側から見た場合、このような圧電発振器は、集積回路素子と測定用端子とが重ならない位置に設けられ、一方の凹部空間を形成している枠部と集積回路素子との間隔が従来の圧電発振器の枠部と集積回路素子との間隔と比較して広くなっている。また、このような圧電発振器は、測定用端子の幅が枠部の幅より広くなっている。
このため、このような圧電発振器は、測定用端子に測定用プローブを容易に接触させることができるので、集積回路素子が搭載された後に圧電振動素子の電気的特性を容易に測定することができる。
【図面の簡単な説明】
【００２４】
【図１】本発明の実施形態に係る圧電発振器の一例を示す断面図である。
【図２】本発明の実施形態に係る圧電発振器の集積回路素子が搭載されている側から見た場合の一例を示す概念図である。
【発明を実施するための形態】
【００２５】
次に、本発明の実施するための最良の形態について説明する。なお、各図面に於いて、各構成要素の状態をわかりやすくするために誇張して図示してある。
【００２６】
本発明の実施形態に係る圧電発振器について説明する。本発明の実施形態に係る圧電発振器１００は、図１に示すように、素子搭載部材１１０と集積回路素子１２０と圧電振動素子１３０と蓋部材１４０とから主に構成されている。
【００２７】
素子搭載部材１１０は、図１に示すように、基板部１１０ａと２つの枠部１１０ｂ，１１０ｃで構成されており、両主面に一つずつ凹部空間１１１，１１２が形成されている。
また、素子搭載部材１１０は、図１及び図２に示すように、一方の主面に外部接続端子１１６が設けられている。
また、素子搭載部材１１０は、図１及び図２に示すように、一方の主面の一方の凹部空間１１１の底面に集積回路素子搭載パッド１１３と測定用端子１１４とが設けられている。
また、素子搭載部材１１０は、図１に示すように、他方の主面の他方の凹部空間１１２の底面に圧電振動素子搭載パッド１１５が設けられている。
また、素子搭載部材１１０は、集積回路素子搭載パッド１１３と圧電振動素子搭載パッド１１５または外部接続端子１１６または測定用端子１１４とを電気的に接続している内部配線（図示せず）が設けられている。
【００２８】
基板部１１０ａは、例えば、図１及び図２に示すように、矩形形状の平板状に設けられている。
【００２９】
枠部１１０ｂ，１１０ｃは、２つ設けられている。
また、枠部１１０ｂ，１１０ｃは、平板状の枠形状となっている。
なお、枠部１１０ｂ，１１０ｃの空間側を内側としたとき、内側の所定の一辺と、この所定の一辺と平行な位置にあってこの所定の一辺と近い外側の所定の他の一辺との距離を幅とする。
一方の枠部１１０ｂは、基板部１１０ａの一方の主面の縁部に沿って設けられ、一方の凹部空間１１１を形成している。また、一方の枠部１１０ｂの幅Ｗは、図２に示すように、凹部空間１１１側の所定の一辺Ｔ１とこの所定の一辺Ｔ１と平行で近い外縁の所定の他の一辺Ｔ２との距離である。
他方の枠部１１０ｃは、一方の枠部１１０ｂと同様に、基板部１１０ａの他方の主面の縁部に沿って設けられ、他方の凹部空間１１２を形成している。
【００３０】
ここで、素子搭載部材１１０の一方の主面は、一方の凹部空間１１１が形成されている主面、つまり、一方の枠部１１０ｂと基板部１１０ａとが接する面と対向する一方の枠部１１０ｂの面をいう。
また、素子搭載部材１１０の他方の主面は、他方の凹部空間１１２が形成されている主面、つまり、他方の枠部１１０ｃと基板部１１０ａとが接する面と対向する他方の枠部１１０ｃの面をいう。
【００３１】
集積回路素子搭載パッド１１３は、例えば、図２に示すように、６個設けられている。
また、集積回路素子搭載パッド１１３は、例えば、図２に示すように、一方の凹部空間１１１の底面の中央部に２行×３列の行列状に設けられている。つまり、集積回路素子搭載パッド１１３は、図２に示すように、一方の凹部空間１１１の底面であって、後述する測定用端子１１４の間に行列状となる様に設けられている。
また、集積回路素子搭載パッド１１３は、図１に示すように、後述する集積回路素子１２０に設けられている集積回路素子接続端子１２１と対向する位置に設けられている。
また、集積回路素子搭載パッド１１３は、図１に示すように、例えば、半田等の導電材料Ｄによって、後述する集積回路素子１２０に設けられている集積回路素子接続端子１２１と電気的に接続されている。
また、所定の２つの集積回路素子搭載パッド１１３は、後述する圧電振動素子搭載パッド１１５と内部配線を介して電気的に接続されている。また、所定の２つの集積回路素子搭載パッド１１３は、内部配線を介して測定用端子１１４と電気的に接続されている。
また。所定の他の４つの集積回路素子搭載パッド１１３は、後述する外部接続端子１１６と内部配線を介して電気的に接続されている。
【００３２】
外部接続端子１１６は、図１及び図２に示すように、一方の凹部空間１１１が形成されている主面、つまり、一方の凹部空間１１１を形成する一方の枠部１１０ｂと基板部１１０ａとが接する面とが接する面と対向する一方の枠部１１０ｂの面に設けられている。言い換えると、外部接続端子１１６は、図１及び図２に示すように、素子搭載部材１１０の一方の主面に設けられている。
外部接続端子１１６は、例えば、図２に示すように、４つ設けられ、素子搭載部材１１０の一方の主面の４隅に一つずつ設けられている。
また、外部接続端子１１６は、所定の他の４つの集積回路素子搭載パッド１１３と素子搭載部材１１０の内部配線を介して電気的に接続されている。
【００３３】
測定用端子１１４は、例えば、図１及び図２に示すように、２つ一対で設けられている。
また、測定用端子１１４は、所定の２つの集積回路素子搭載パッド１１３と後述する圧電振動素子搭載パッド１１５と電気的に接続されている。つまり、測定用端子１１４は、圧電発振器１００の圧電振動素子１３０の電気的特性を測定することを可能としている。
また、測定用端子１１４は、その幅Ｐが枠部１１０ｂの幅Ｗより広くなっている。
ここで、測定用端子１１４の幅Ｐは、素子搭載部材１１０の長辺に平行な向きの幅である。つまり、図２では、測定用端子１１４の幅Ｐは、測定用端子１１４の長辺長さとなっている。
なお、ここでは、測定用端子１１４の幅Ｐが測定用端子１１４の長辺長さの場合について説明しているが、素子搭載部材の長辺に平行な向きの幅であれば、短辺長さであってもよい。
測定用端子１１４の幅Ｐが枠部１１０ｂの幅Ｗより狭い場合、測定用端子１１４は、従来の圧電発振器の場合と同様に、その面積が小さくなってしまい測定用プローブを接触することができなくなり測定用端子１１４の機能をはたさない恐れがある。
このため、測定用端子１１４は、その幅Ｐが枠部１１０ｂの幅Ｗより広くなっている。
【００３４】
圧電振動素子搭載パッド１１５は、例えば、２つ一対で設けられており、基板部１１０ａの他方の主面、つまり、他方の凹部空間１１２の底面の一方の短辺に沿って２つ並んで設けられている。言い換えると、圧電振動素子搭載パッド１１５は、素子搭載部材１１０の他方の主面に設けられている他方の凹部空間１１２の底面の一方の短辺に沿って２つ並んで設けられている。
また、圧電振動素子搭載パッド１１５は、所定の２つの集積回路素子搭載パッド１１３と素子搭載部材１１０の内部配線を介して電気的に接続されている。
また、圧電振動素子搭載パッド１１５は、素子搭載部材１１０の内部配線を介して測定用端子１１４と電気的に接続されている。
また、圧電振動素子搭載パッド１１５は、図１に示すように、後述する圧電振動素子１３０の引き回し電極１３３と対向する位置に設けられ、例えば、導電性接着剤Ｓによって圧電振動素子１３０の引き回し電極１３３と電気的に接続されている。
【００３５】
素子搭載部材１１０は、図１及び図２に示すように、一方の主面に一方の凹部空間１１１が形成されており、この一方の凹部空間１１１の底面に集積回路素子搭載パッド１１３と測定用端子１１４とが設けられている。
また、素子搭載部材１１０は、図２に示すように、一方の主面の４隅に外部接続端子１１６が設けられている。
また、素子搭載部材１１０は、図１に示すように、他方の主面に他方の凹部空間１１２が形成されており、この他方の凹部空間１１２の底面に圧電振動素子搭載パッド１１５が設けられている。
また、素子搭載部材１１０は、２つ一対の圧電振動素子搭載パッド１１５が所定の２つ集積回路素子搭載パッド１１３及び２つ一対の測定用端子１１４と素子搭載部材１１０の内部配線を介して電気的に接続されている。
【００３６】
圧電振動素子１３０は、図１に示すように、圧電片１３１と励振電極１３２と引き回し電極１３３とから主に構成されている。
圧電片１３１は、例えば、圧電材料が用いられ、矩形形状の平板状に設けられている。
励振電極１３２は、例えば、図１に示すように、２つ一対となっている。一方の励振電極１３２は、圧電片１３１の一方の主面に設けられている。他方の励振電極１３２は、圧電片１３１の他方の主面であって一方の励振電極と対向する位置に設けられている。
引き回し電極１３２は、例えば、２つ一対となっている。
また、引き回し電極１３３は、一方の端部が所定の励振電極１３２と接続され、他方の端部が所定の励振電極１３２が設けられていない圧電片１３１の主面の端部に位置している。つまり、一方の引き回し電極１３３は、一方の端部が一方の励振電極１３２に接続されており、他方の端部が圧電片１３１の他方の主面の端部に位置している。また、他方の引き回し電極１３３は、一方の端部が他方の励振電極１３２に接続されており、他方の端部が圧電片１３１の一方の主面の端部に位置している。
また、引き回し電極１３３は、図１に示すように、素子搭載部材１１０に設けられた圧電振動素子搭載パッド１１５と対向する位置に設けられており、例えば、導電性接着剤Ｓによって圧電振動素子搭載パッド１１５と電気的に接続されている。
圧電振動素子１３０は、引き回し電極１３３と圧電振動素子搭載パッド１１５とが電気的に接続されることで、圧電振動素子搭載パッド１１５に搭載される。
【００３７】
蓋部材１４０は、例えば、矩形形状の平板状に設けられている。
また、蓋部材１４０は、図１に示すように、素子搭載部材１１０と接続されることで、他方の凹部空間１１２内に搭載されている圧電振動素子１３０を気密封止する役割を果たす。
【００３８】
集積回路素子１２０は、例えば、発振回路の機能を備えたＩＣ回路素子である。
また、集積回路素子１２０は、例えば、一方の主面に複数の集積回路素子接続端子１２１が設けられている。
集積回路素子接続端子１２１は、例えば、６個設けられており、集積回路素子１２０の両長辺に沿って３個ずつ並んで設けられている。つまり、集積回路接続端子１２１は、一方の長辺に沿って３個並んで設けられ、他方の長辺に沿って３個並んで設けられており、言い換えると、３行×２列の行列状に設けられている。
また、集積回路素子接続端子１２１は、図１に示すように、集積回路素子搭載パッド１１３と対向する位置に設けられ、例えば、半田等の導電材料Ｄによって集積回路素子搭載パッド１１３と電気的に接続されている。
つまり、集積回路素子１２０は、集積回路素子接続端子１２１と集積回路素子搭載パッド１１３とが電気的に接続されることで、素子搭載部材１１０の一方の凹部空間１１１内に搭載されている。
【００３９】
従って、このような圧電発振器１００は、素子搭載部材１１０の一方の主面に形成されている一方の凹部空間１１１の底面に集積回路素子１２０が搭載されている。
また、このような圧電発振器１００は、素子搭載部材１１０の他方の主面に形成されている他方の凹部空間１１２の底面に圧電振動素子１３０が搭載されて蓋部材１４０で気密封止されている。
また、素子搭載部材１１０の一方の主面側から見た場合、このような圧電発振器１００は、集積回路素子１２０が一方の枠部１１０ｂ内に搭載されており、測定用端子１１４が集積回路素子１２０に隠れることなく露出されている構造となっている。
また、圧電発振器１００は、集積回路素子搭載パッドの幅Ｐが枠部の幅Ｗより広くなっている。
また、圧電発振器１００は、所定の２つの集積回路素子搭載パッド１１３が測定用端子１１４及び圧電振動素子搭載パッド１１５と電気的に接続されている。
また、圧電発振器１００は、所定の他の４つの集積回路素子搭載パッド１１３が外部接続端子１１６と電気的に接続されている。
【００４０】
このような本発明の実施形態に係る圧電発振器１００は、基板部１１０ａと基板部１１０ａの両主面の縁部に沿って設けられる枠部１１０ｂ，１１０ｃとで構成されて凹部空間１１１，１１２が形成されている素子搭載部材１１０と、素子搭載部材１１０に搭載される圧電振動素子１３０と、搭載されている圧電振動素子１３０を気密封止する蓋部材１４０と、を備えている。また、このような本発明の実施形態に係る圧電発振器１００は、前記測定用端子１１４が前記集積回路素子１２０の主面と対向しない位置に設けられている。また、このような本発明の実施形態に係る圧電発振器１００は、一方の凹部空間１１１を形成する一方の枠部１１０ｂに於いて、一方の凹部空間１１１側の所定の一辺Ｔ１とこの所定の一辺Ｔ１に平行でかつこの所定Ｔ１の一辺に近い外縁側の所定の他の一辺Ｔ２との距離を枠部１１０ｂの幅Ｗとしたとき、測定用端子１１４の幅Ｐが枠部１１０ｂの幅Ｗより広くなっている。
つまり、集積回路素子１２０が搭載されている主面側から見た場合、このような本発明の実施形態に係る圧電発振器１００は、集積回路素子１２０と測定用端子１１４とが重ならない位置に設けられ、凹部空間１１１を形成している枠部１１０ｂと集積回路素子１２０との間隔が従来の圧電発振器の枠部と集積回路素子との間隔と比較して広くなっている。また、このような本発明の実施形態に係る圧電発振器１００は、測定用端子１１４の幅Ｐが枠部１１０ｂの幅Ｗより広くなっている。
このため、このような本発明の実施形態に係る圧電発振器１００は、測定用端子１１４に測定用プローブを容易に接触させることができるので、集積回路素子１２０が搭載された後に圧電振動素子１３０の電気的特性を容易に測定することができる。
【００４１】
また、このような本発明の実施形態に係る圧電発振器１００は、集積回路素子１２０が一方の枠部１１０ｂ内に設けられている。従って、電子機器の配線基板に設けた場合、本発明の実施形態に係る圧電発振器１００は、集積回路素子１２０が一方の凹部空間１１１内に封止された構造となっている。このため、このような本発明の実施形態に係る圧電発振器１００は、圧電発振器の温度や湿度といった外部の影響を、従来と比較して抑えることができる。
【００４２】
なお、ここでは、集積回路素子接続端子が６個設けられている場合について説明しているが、圧電発振器としての機能を果たす集積回路素子であれば集積回路接続端子の数は、例えば、８個や１０個であってもよい。
【００４３】
なお、ここでは、集積回路素子搭載パッドと外部接続端子、または、圧電振動素子搭載パッド、または、測定用端子が内部配線により接続されている場合について説明しているが、それぞれを電気的に接続することができれば、例えば、素子搭載部材の表面にパターン配線を設けてもよい。
【符号の説明】
【００４４】
１００  圧電発振器
１１０  素子搭載部材
１１０ａ  基板部
１１０ｂ，１１０ｃ  枠部
１１１，１１２  凹部空間
１１３  集積回路素子搭載パッド
１１４  測定用端子
１１５  圧電振動素子搭載パッド
１２０  集積回路素子
１２１  集積回路素子接続端子
１３０  圧電振動素子
１３１  圧電片
１３２  励振電極
１３３  引き回し電極
１４０  蓋部材
Ｄ  導電材料
Ｓ  導電性接着剤
Ｗ  枠部の幅
Ｐ  測定用端子の幅
Ｔ１，Ｔ２  枠部の一辺
【図１】
0005465568.tif 000002
【図２】
0005465568.tif 000003